(57)【要約】【課題】  サイディング外壁のパネル化による生産性，施工性の向上、工期短縮等の各利点が得られ、かつ外壁の壁厚を薄くでき、またシーリング工事が不要で乾式シールによる安定した止水性が得られ、部材の削減も図れるようにする。【解決手段】  パネルフレーム３と、このパネルフレーム３の前面に上下に並べて複数枚取付けられたサイディング材４とを備える。パネルフレーム３の両側縁の縦フレーム材５，５は、隣合う柱１０，１０の互いに内側となる側面に沿って配置される部材であって、柱１０に側方へ突出して固定されたガセットプレート１３にボルトで取付けられるボルト挿通孔を裏面に有する。サイディング材４は、柱１０の前面の柱幅中央まで覆うように縦フレーム材５よりも側方に張出し、その裏面を透湿防水シート１１で覆う。サイディング材４の裏面における側縁部に、柱１０の前面に押し付け状態に接して配置される弾性材からなる止水材を設ける。【選択図】      図１
2014066037.tif 000002
【特許請求の範囲】
【請求項１】
矩形に枠組みされた面材取付用下地となるパネルフレームと、このパネルフレームの前面に上下または左右に並べて複数枚取付けられたサイディング材とを備え、
前記パネルフレームの両側縁の縦フレーム材は、隣り合う柱の互いに内側となる側面に沿って配置される部材であって、前記柱の側方へ突出して固定されたガセットプレートにボルトで取付けられるボルト挿通孔を裏面に有し、
前記サイディング材は、前記柱の前面の柱幅中央まで覆うように前記縦フレーム材よりも側方に張出し、
前記複数枚のサイディング材に渡って裏面を防水シートで覆い、
前記サイディング材の裏面における側縁部に、前記柱の前面に押し付け状態に接して配置される弾性材からなる止水材を設けた
ことを特徴とするサイディング外壁パネル。
【請求項２】
請求項１において、前記パネルフレームの前面を前記柱の前面と同一平面とするサイディング外壁パネル。
【請求項３】
請求項１または請求項２において、前記サイディング材が金属サイディングからなるサイディング外壁パネル。
【請求項４】
請求項１ないし請求項３のいずれか１項において、前記パネルフレームが、前記サイディング材を取付ける中桟を有するサイディング外壁パネル。
【請求項５】
請求項１ないし請求項４のいずれか１項に記載のサイディング外壁パネルを左右に複数枚並べ、前記各サイディング外壁パネルは、隣合う柱の間に前記パネルフレームが納まり、前記柱の前面で、隣合うサイディング外壁パネルの前記サイディング材の間の目地が、乾式の止水材を兼ねる目地カバーで覆われたサイディング外壁パネル仕様の外壁構造。
【発明の詳細な説明】
【技術分野】
【０００１】
この発明は、金属サイディング等のサイディング材を外装面材としたサイディング外壁パネル、およびこれを用いた外壁構造に関する。
【背景技術】
【０００２】
従来、建物のサイディング材等の外装面材は、柱等の建物躯体の外面に取付けた面材取付下地用となる胴縁に、工事現場で取付けている。胴縁は、通り精度を出す必要があり、胴縁１本ごとに取付精度が求められる。作業手順としては、次の手順が採られる。胴縁の取付け・調整→サッシの取付け、胴縁の前面への透湿防水シート張り、胴縁の前面への外装面材の取付け、外装面材間の縦目地のシーリング施工。これらの工程は、前工程が終わらなければ、後工程へは進めない。
【先行技術文献】
【特許文献】
【０００３】
【特許文献１】特許第４００４９４６号公報
【特許文献２】特許第４０５６９３１号公報
【特許文献３】特開２０１０−２６１１５３号公報
【発明の概要】
【発明が解決しようとする課題】
【０００４】
上記した従来の外壁構造では、次の各問題点がある。
・現場施工の全ての作業について、建物の外部に足場が必要になり、期間も長くかかり、コストがかかる。
・高所作業が多く、墜落・飛来などの危険も伴う。
・胴縁の取付けにおいては、通り精度を胴縁１本ごとに出す必要があり、作業に手間がかかる。
・柱等の躯体の外面に胴縁を取付けるため、外壁の壁厚が厚くなる。
・隣合う外装面材の目地部をシーリングで納めるため、作業者の技量によって品質が大きく左右される。
・シーリングは湿式であるため雨天時に施工できず、工期が不安定になる。
・前後の工程が決まっているため、前工程が終らないと後工程へ進めず、この点でも工期が不安定になる。
【０００５】
この発明の目的は、サイディング外壁のパネル化による生産性，施工性の向上、工期短縮等の各利点が得られ、かつ外壁の壁厚を薄くでき、またシーリング工事が不要で乾式シールによる安定した止水性が得られ、部材の削減も図れるサイディング外壁パネル、およびこれを用いた外壁構造を提供することである。
【課題を解決するための手段】
【０００６】
この発明のサイディング外壁パネルは、矩形に枠組みされた面材取付用下地となるパネルフレームと、このパネルフレームの前面に上下または左右に並べて複数枚取付けられたサイディング材とを備え、前記パネルフレームの両側縁の縦フレーム材は、隣り合う柱の互いに内側となる側面に沿って配置される部材であって、前記柱の側方へ突出して固定されたガセットプレートにボルトで取付けられるボルト挿通孔を裏面に有し、前記サイディング材は、前記柱の前面の柱幅中央まで覆うように前記縦フレーム材よりも側方に張出し、前記複数枚のサイディング材に渡って裏面を防水シートで覆い、前記サイディング材の裏面における側縁部に、前記柱の前面に押し付け状態に接して配置される弾性材からなる止水材を設けたことを特徴とする。前記防水シートには透湿防水シート等が用いられる。柱の前面とパネルフレームの前面とは、同一平面とするのが良い。
【０００７】
この構成によると、サイディング材による外壁を単にパネル化しただけでなく、パネルフレームを柱の厚さ内に納め、サイディング材が柱の前面に張り出すようにしてその裏面に止水材を設けた構成としたため、外壁の壁厚を薄くできるうえ、外壁パネルの柱への取付けにより止水処理が同時に行える。ガセットプレートの使用により、上記のパネルフレームを柱の厚さ内に納めて設置する構成が実現できる。また、面材取付用下地をパネルフレームと兼用するため、部材の無駄が無くなる。具体的には、次の各作用，効果が得られる。
【０００８】
サイディング材、面材取付用下地となるパネルフレーム、および防水シートを一体化してパネル化したため、工場製作でき、また外壁パネルは寝かせた状態で製作できるため、高所作業が発生せず、足場が不要となる。工事現場で基礎工事等を行っている間に並行して外壁パネルを製作でき、工期を短縮できる。面材取付用下地を外壁パネルに組み込んでいるため、１本毎に精度を出す手間がなくなる。外壁パネル単位の製作であるため、特定の外壁パネルで工程に問題が発生しても、他の外壁パネルは後工程に進むことができる。  柱の側面に沿って、面材取付用下地となるパネルフレームを配置するため、柱の厚さ内にパネルフレームが納まり、従来の柱の外側に面材取付用下地を設ける外壁に比べて、外壁の壁厚を薄くすることができる。柱に固定されたガセットプレートにパネルフレームを取付けるため、上記のように柱の厚さ内にパネルフレームを納める構成が実現でき、柱の前面とパネルフレームの前面とを同一平面にすることが可能となる。
サイディング材の裏面における側縁部に、柱の前面に押し付け状態に接して配置される弾性材からなる止水材を設け、水密性を確保するため、外壁パネルのジョイント部が乾式化されて工事現場でのシーリング工事が無くなる。乾式化されシーリング工事がないため、天候によって工期が遅延することがなく、作業者の技量に作用されることがなくて、水密性の均一な品質が確保できる。
パネルフレームをサイディング材の取付用の面材取付下地として兼用するため、無駄な部材が無くなる。
【０００９】
この発明において、前記サイディング材が金属サイディングであっても良い。金属サイディングは、薄い金属板製の外殻内に断熱材等を充填したものであり、断熱性、軽量化による耐震性、防水性等に優れる。そのため、金属サイディングを用いることで、この発明の他の構成と相まって、非常に優れた耐久性，耐凍性が得られる。なお、前記サイディング材としては、この他に、窯業系のサイディング材を用いても良い。
【００１０】
この発明において、前記パネルフレームが、前記サイディング材を取付ける中桟を有するものであっても良い。前記パネルフレームは、面材取付用下地を兼ねる外周のフレーム材を有するが、中桟を設けた場合、サイディング材の固定箇所を多くでき、サイディング材の固定がより一層安定する。前記中桟は、縦桟であっても、横桟であっても、その両方であっても良い。中桟を多数有する場合も、パネル化によって効率良く生産できる。また、これら外周のパネルフレームおよび中桟が面材取付用下地となり、別途に下地桟を設ける必要がなく、無駄な部材が無くなる。
【００１１】
この発明の外壁構造は、この発明の上記いずれかの構成のサイディング外壁パネルを左右に複数枚並べ、前記各サイディング外壁パネルは、隣合う柱の間に前記パネルフレームが納まり、前記柱の前面で、隣合うサイディング外壁パネルの前記サイディング材の間の目地が、乾式の止水材を兼ねる目地カバーで覆われたものである。
この構成によると、この発明のサイディング外壁パネルについて前述した各効果が得られ、また隣合うサイディング外壁パネル間の縦目地が、乾式の止水材を兼ねる目地カバーで覆われることにより、優れた止水性が得られ、その止水処理も目地カバーを取付けるだけの簡単な作業で済む。
【発明の効果】
【００１２】
この発明のサイディング外壁パネルは、矩形に枠組みされた面材取付用下地となるパネルフレームと、このパネルフレームの前面に上下または左右に並べて複数枚取付けられたサイディング材とを備え、前記パネルフレームの両側縁の縦フレーム材は、隣り合う柱の互いに内側となる側面に沿って配置される部材であって、前記柱の側方へ突出して固定されたガセットプレートにボルトで取付けられるボルト挿通孔を裏面に有し、前記サイディング材は、前記柱の前面の柱幅中央まで覆うように前記縦フレーム材よりも側方に張出し、前記複数枚のサイディング材に渡って裏面を防水シートで覆い、前記サイディング材の裏面における側縁部に、前記柱の前面に押し付け状態に接して配置される弾性材からなる止水材を設けるため、サイディング外壁のパネル化による生産性，施工性向上、工期短縮等の各利点が得られ、かつ外壁の壁厚を薄くでき、またシーリング工事が不要で定型止水材等による安定した止水性が得られ、部材の削減も図れるという効果が得られる。
【００１３】
この発明の外壁構造は、この発明のサイディング外壁パネルを左右に複数枚並べ、前記各サイディング外壁パネルは、隣合う柱の間に前記パネルフレームが納まり、前記柱の前面で、隣合うサイディング外壁パネルの前記サイディング材の間の目地が、乾式の止水材を兼ねる目地カバーで覆われたものであるため、この発明のサイディング外壁パネルについての前記各効果が得られ、また隣合うサイディング外壁パネル間の縦目地が、乾式の止水材を兼ねる目地カバーで覆われることにより、優れた止水性が得られ、その止水処理も目地カバーを取付けるだけの簡単な作業で済む。
【図面の簡単な説明】
【００１４】
【図１】この発明のサイディング外壁パネルを用いた外壁構造の一実施形態を示す外観斜視図である。
【図２】同外壁構造の水平断面図である。
【図３】サイディング外壁パネルを裏面側から見た斜視図である。
【図４】（Ａ）は同サイディング外壁パネルの中間省略破断側面図、（Ｂ）はその透湿防水シートの配置例の変形例を示す断面図である。
【図５】同外壁構造に適用される止水構造の施工手順を示す説明図である。
【図６】金属サイディングの一例を示す中間省略断面図である。
【図７】金属サンドイッチパネルの一例を示す断面図である。
【図８】この発明の他の実施形態に係るサイディング外壁パネルの正面図である。
【発明を実施するための形態】
【００１５】
この発明の一実施形態を図１ないし図６と共に説明する。図１はこの発明のサイディング外壁パネルを用いた外壁構造の一実施形態を示す外観斜視図、図２は同外壁構造の水平断面図である。適用する建物は、戸建て住宅や集合住宅、事務所建物、その他種々の鉄骨系の建物である。この外壁構造は、外壁パネル１を、パネルフレーム３の部分で建物の隣合う柱１０間にそれぞれ位置させて、左右に複数枚並べたものである。各外壁パネル１は、面材取付用下地となるパネルフレーム３と、このパネルフレーム３の前面に上下に並べて複数枚取付けられたサイディング材４とで構成される。これら複数枚のサイディング材４により、面材上下並設体２が構成される。なお、サイディング材４は、例えば図８に示すように左右に並べたものであっても良い。パネルフレーム３と柱１０とは、その屋外側の面である前面が、互いに同一平面に位置し、サイディング材４の側縁部が、パネルフレーム３よりも側方に突出して柱１０の前面に位置する。外壁パネル１の高さは、例えば、建物の１階分または２階分の高さとされる。２階分の高さとすれば、１階と２階との間に位置する上下の外壁パネル間の横目地が無くなる。サイディング材４は金属サイディングからなり、上下のサイディング材４は互いに継手部で継がれる。サイディング材４は、金属サイディングの他に、金属サンドイッチパネルや窯業系のサイディングを用いて良い。
【００１６】
金属サイディングからなるサイディング材４は、例えば図６に縦断面を示すように、めっき鋼板またはステンレス鋼板等の薄い金属板製で略溝形の屋外側外殻４Ａ内に、発泡樹脂等の断熱材４Ｂ等を充填し、断熱材４Ｂの裏面をアルミライナーシート４Ｃで覆った矩形の板状体であり、断熱性、軽量化による耐震性、防水性等に優れる。この金属サイディングからなるサイディング材４は、上下縁に、その上下に隣合うサイディング材４と接合する継手部４Ａａ，４Ａｂが設けられている。継手部４Ａａ，４Ａｂは、同図の例では表裏にそれぞれ位置する相欠継ぎとなる突状部分とされているが、さね継ぎ等の継ぎ手となる形状や、その他の形状であっても良い。
【００１７】
サイディング材４の横幅は、前記外壁パネル１の全体に渡る幅とされ、上下幅は、例えば数枚程度のサイディング材４を上下に順次継いで外壁パネル１の全体高さとなる上下幅とされている。
【００１８】
なお、サイディング材４として用いられる金属サンドイッチパネルは、例えば図７に示すように、薄い金属板製の中空の両面外殻４Ａ′内に、断熱材４Ｂ等を充填した矩形の板状体である。両面外殻４Ａ′および断熱材４Ｂには、それぞれステンレス鋼板、発泡樹脂等が用いられる。この金属サンドイッチパネルからなるサイディング材４は、上下縁に、その上下に隣合うサイディング材４と接合する継手部４Ａａ′，４Ａｂ′が設けられている。継手部４Ａａ′，４Ａｂ′は、同図の例ではさね継ぎとなる突状部分および溝状部分とされているが、相欠継ぎ等の継ぎ手となる形状や、その他の形状であっても良い。両面外殻４Ａ′の屋外側に用いる面は、凹凸模様等の化粧が施され、または平坦面とされる。この例では、横幅方向に延びる化粧用の凹溝４Ａｃが設けられている。凹溝４Ａｃは、例えば、上下のサイディング材４，４間の継ぎ目４１と同様な外観となる溝形状とされる。
【００１９】
図３に、前記サイディング外壁パネル１を裏面側から見た斜視図を示す。パネルフレーム３は、外周部分が、両側辺の一対のパネル縦フレーム材５，５、およびパネル上下辺フレーム材６により矩形に枠組みされたものである。前記面材上下並設体２は、前記パネルフレーム３の外周から、左右両辺が若干張り出す矩形に形成される。パネルフレーム３の外周部分を構成する各フレーム材５，６は、パネルフレーム３の枠内側に開口する軽量形鋼等のＣ形鋼からなる。パネルフレーム３の内部には、サイディング材４を取付ける部材として、中桟となる複数本の縦桟材８および横桟材９が配置される。これら縦桟材８および横桟材９は、それらの端部が外周の前記各フレーム材５，６の開口内で溶接される。縦桟材８および横桟材９の前面は、外周のフレーム材５，６の屋外側となる前面に揃えられる。縦桟材８および横桟材９は、軽量形鋼のＣ形鋼やＬ形鋼等からなる。
【００２０】
パネルフレーム３の各フレーム材５，６、縦桟材８、および横桟材９の前面に渡って、図４（Ａ）に示すように前記面材上下並設体２よりも若干大きな寸法、または同一寸法、の矩形とされた透湿防水シート１１が張り渡される。図示の例では透湿防水シート１１は、パネルフレーム３の外周からのはみ出し部分１１ａを生じている。透湿防水シート１１は、同図（Ｂ）のように複数枚を継いで用いても良い。その場合、透湿防水シート１１の継ぎ部分は重ね合わせる。透湿防水シート１１は、サイディング材４間から浸入した水の屋内側への漏水を防ぐ２次止水材となるものであって、この透湿防水シート１１を挟んで、パネルフレーム３の前面に面材上下並設体２が、透湿防水シート１１と重なるように配置される。各サイディング材４は、パネルフレーム３の外周の各フレーム材５，６、縦桟材８、および横桟材９にビス止めされる。このビス（図示せず）には、ドリル付きタッピングビス等が用いられる。面材上下並設体２の固定は、ビス止めによる他に、金具留めにより行っても良い。このとき、透湿防水シート１１の周辺部は両面テープ１２（図５）を介して面材上下並設体２の裏面に固定される。
ここでは、図示しないが、前記サイディング外壁パネル１には、アルミサッシや小庇などが取付けられる場合もある。サイディング外壁パネル１の製造・組立は全て工場内で行われる。
【００２１】
サイディング材４の裏面の側縁部には、面材上下並設体２の全体高さに渡り、２次止水材となる面材裏面止水材１５が貼り付けられる。この面材裏面止水材１５は、例えばＥＰＤＭ（疎水性ウレタン発泡体）等の発泡材の弾性体からなり、厚手の防水テープとされたものが使用される。この防水テープは、粘着剤等の接着剤が片面に施されていて、その接着剤により、透湿防水シート１１の上からサイディング材４に固定される。なお、サイディング材４の側縁部の一部が透湿防水シート１１から露出するように透湿防水シート１１の幅をサイディング材４よりも狭くし、透湿防水シート１１をサイディング材４に固定した両面テープ１２の露出部分に前記面材裏面止水材１５を貼り付けても良い。
【００２２】
前記サイディング外壁パネル１が取付けられる建物躯体は、図１のように隣合って基礎上に建てられアンカーボルト（図示せず）で締め付けられる柱１０，１０や、これら両柱１０間に跨がって設けられる軒桁３０、胴差３１、壁ブレース３２などの構造材により構成される。柱１０には、主として角形鋼管が用いられる。
【００２３】
図２のように、サイディング外壁パネル１のパネルフレーム３は、隣合って並ぶ柱１０，１０の間に納まり、その両側辺の縦フレーム材５，５が隣合う柱１０，１０の互いに内側となる側面に沿うように配置され、各縦フレーム材５が対向する柱１０に取付けられる。具体的には、各柱１０に側方へ突出して固定されたガセットプレート１３に、パネルフレーム３の縦フレーム材５がボルト１４で取付けられる。図３に示すように、パネルフレーム３の縦フレーム材５の裏面となるフランジ部には、前記ボルト１４を挿通させるボルト挿通孔２３が設けられる。
【００２４】
このようにして左右に隣合って配置される外壁パネル１の両側のサイディング材４，４は、互いに建物の柱１０の前面の柱幅中央まで覆うことになる。外壁パネル１の取付けに先立ち、前記柱１０の前面には、役物受け材１７が縦方向に延びて配置され、柱側止水材１８を介して柱１０の前面にビス１９で取付けられる。柱側止水材１８は、両面ブチルテープからなる。
外壁パネル１を前記ボルト１４により柱１０に取付けた状態で、図５（Ｂ）のように、外壁パネル１の面材裏面止水材１５が柱１０側の役物受け材１７に押さえ付けられて、これにより、面材裏面止水材１５が止水性能を発揮する。
【００２５】
前記役物受け材１７は、柱１０の表面に沿って延びる板状部１７ｂと、この板状部１７ｂから前記両サイディング材４，４間の縦目地１６に向かって突出する係止部１７ａとを有し、前記板状部１７ｂで前記ビス１９により取付けられる。板状部１７ｂは、その前面に対向する外壁パネル１の面材裏面止水材１５よりも外壁パネル１の中央側へ延びる幅とされ、その両側の側縁に、前面側へ折り返された折り返し部１７ｃを有する。この折り返し部１７ｃにより、２次止水材となる前記面材裏面止水材１５を水が通過した場合でも、その水がそれよりも屋内側に浸入するのを防止することができる。
前記役物受け材１７の前記係止部１７ａは、二股状の突片からなり、両側の突片の対向面の先端に、抜止め突部が長さ方向に沿って設けられている。換言すれば、前記係止部１７ａは、入口部が狭まった溝を先端面に有する突条として形成されている。
前記役物受け材１７の材質例を説明すると、前記板状部１７ｂは鉄板等の金属板からなり、前記係止部１７ａは前記板状部１７ｂと共に一体形成された金属材からなる。
【００２６】
左右に隣り合う外壁パネル１，１の接続部である前記縦目地１６には、図５（Ｂ），（Ｃ）に示すように目地カバー２０が全長に渡って配置される。この目地カバー２０は、両外壁パネル１の表面の側縁部間に渡る目地カバー本体部２０ａと、この目地カバー本体部２０ａの裏面の中央から突出する被係止部２０ｂとを有する。この被係止部２０ｂは、前記役物受け材１７の係止部１７ａに押し付けられることによって係止部１７ａに係止される。具体的には、被係止部２０ｂは、立ち上がり片状に形成されて、先端に切り起し片からなる逆止部が設けられ、この逆止部が前記係止部１７ａの両側の突片間に前記抜止め突部よりもよりも奥側に押し込まれることで、これら抜止め突部と逆止部との係合により抜け止めされる。
【００２７】
目地カバー２０における目地カバー本体部２０ａの裏面の被係止部２０ｂを挟む左右には、１次止水材となるカバー側止水材２１が縦方向に延びて貼り付けられている。このカバー側止水材２１も、ＥＰＤＭ等の発泡性の弾性体からなる厚手の防水テープ等が用いられる。目地カバー２０を役物受け材１７に係止させて、目地カバー２０の目地カバー本体部２０ａで前記縦目地１６を覆った図５（Ｃ）の状態で、前記カバー側止水材２１が目地カバー２０と面材上下並設体２とに挟まれて圧縮されるので、外部からの縦目地１６への水の浸入が阻止される。
【００２８】
なお、サイディング外壁パネル１の柱１０への固定は、建物躯体へ梁，つなぎ材などの小屋部材が取付けられ、さらに隣合う柱１０，１０間に跨がって前記した軒桁３０、胴差３１、壁ブレース３２などが取付けられる。軒桁３０、胴差３１、壁ブレース３２などの構造材は、サイディング外壁パネル１よりも屋内側に配置されることになる。この後、建物の建ちを調整しながら、サイディング外壁パネル１を柱１０へ仮止めしていたボルト１４が本締めされる。
【００２９】
この構成のサイディング外壁パネル１によると、サイディング材４による外壁を単にパネル化しただけでなく、パネルフレーム３を柱１０の厚さ内に納め、サイディング材４が柱１０の前面に張り出すようにしてその裏面に面材裏面止水材１５を設けた構成としたため、従来の柱前面に面材取付下地となる胴縁を取付ける構成に比べて、外壁の壁厚を薄くできるうえ、外壁パネル１の柱１０への取付けにより止水処理が同時に行える。ガセットプレート１３の使用により、上記のパネルフレーム３を柱１０の厚さ内に納めて設置する構成、つまり柱１０に対してパネルフレーム３が屋外側へ偏心することを抑制する構成が実現できる。また、面材取付用下地をパネルフレーム３と兼用するため、部材の無駄が無くなる。具体的には、次の各作用，効果が得られる。
【００３０】
サイディング材４、面材取付用下地となるパネルフレーム３、および透湿防水シート１１を一体化してパネル化したため、工場製作でき、また外壁パネル１は寝かせた状態で製作できるため、高所作業が発生せず、足場が不要となる。工事現場で基礎工事等を行っている間に並行して外壁パネル１を製作でき、工期を短縮できる。面材取付用下地となるパネルフレーム３を外壁パネル１に組み込んでいるため、１本毎に精度を出す手間がなくなる。外壁パネル１枚の単位の製作であるため、特定の外壁パネル１で工程に問題が発生しても、他の外壁パネル１は後工程に進むことができる。
【００３１】
柱１０の側面に沿って、面材取付用下地となるパネルフレーム３を配置するため、柱１０の厚さ内にパネルフレーム３が納まり、従来の柱の外側に面材取付用下地を設ける外壁に比べて、外壁の壁厚を薄くすることができる。柱１０に固定されたガセットプレート１３にパネルフレーム３を取付けるため、上記のように柱１０の厚さ内にパネルフレーム３が納まる構成が実現でき、柱１０の前面とパネルフレームの前面とを同一平面にすることも可能となる。
サイディング材４の裏面における側縁部に、柱１０の前面に押し付け状態に接して配置される弾性材からなる面材裏面止水材１５を設け、水密性を確保するため、外壁パネル１のジョイント部が乾式化されて工事現場でのシーリング工事が無くなる。乾式化されシーリング工事がないため、天候によって工期が遅延することがなく、作業者の技量に作用されることがなくて、止水性の均一な品質が確保できる。
パネルフレーム３をサイディング材４の取付用の面材取付下として兼用するため、無駄な部材が無くなる。
【００３２】
また、この外壁構造は、前記構成のサイディング外壁パネル１を複数枚並べ、各サイディング外壁パネル１は、隣合う柱１０の間にパネルフレーム３が納まり、前記柱１０の前面で、隣合うサイディング外壁パネル１のサイディング材４の間の目地が、目地カバー２０で覆われたものであるため、サイディング外壁パネル１について前述した各効果が得られ、また隣合うサイディング外壁パネル１間の縦目地が、乾式の止水材を兼ねる目地カバー２０で覆われることによって優れた止水性が得られ、その止水処理も目地カバー２０を取付けるだけの簡単な作業で済む。
【００３３】
縦目地１６での止水作用等につき説明すると、縦目地１６内に雨水が浸入することが目地カバー２０およびそのカバー側止水材２１により防止され、また縦目地１６内に雨水が浸入しても、サイディング材４の裏面の弾性材料からなる面材裏面止水材１５が柱１０の前面に圧縮状態に介在していて、雨水がさらに建物内部に浸入することが防止される。
【００３４】
なお、上記構成の外壁構造は、Ｈ形鋼等を基礎梁に採用した鋼製基礎や、現場でコンクリートを打設して形成するＲＣ造基礎あるいはＳＲＣ造基礎とした建物に対しても適用することができる。
【符号の説明】
【００３５】
１…外壁パネル
２…面材上下並設体
３…パネルフレーム
４…サイディング材
５…縦フレーム材
６…パネル上下辺フレーム材
８…縦桟（中桟）
９…横桟（中桟）
１０…柱
１１…透湿防水シート
１２…両面テープ
１３…ガセットプレート
１５…面材裏面止水材
１６…縦目地
１７…役物受け材
１７ａ…係止部
１７ｂ…板状部
１７ｃ…折り返し部
１８…柱側止水材
２０…目地カバー
２０ａ…カバー部
２０ｂ…被係止部
２３…ボルト挿通孔
【図１】
2014066037.tif 000003
【図２】
2014066037.tif 000004
【図３】
2014066037.tif 000005
【図４】
2014066037.tif 000006
【図５】
2014066037.tif 000007
【図６】
2014066037.tif 000008
【図７】
2014066037.tif 000009
【図８】
2014066037.tif 000010